(57)【要約】【課題】雑誌に印刷された二次元コードを読み込んだユーザに対して情報提供を行う際に、情報提供を受けることのできるユーザを制限する。【解決手段】雑誌３に印刷された雑誌コード３ａの読み取り操作を行い事業者サーバ７から雑誌３の種別情報に対応する専用アプリケーションプログラムＰをユーザ携帯端末５にダウンロードした後、雑誌３に印刷された号数コード３ｂの読み取り操作を行い、ダウンロードした専用アプリケーションプログラムＰにより、号数コード３ｂから取得した号数情報と専用アプリケーションプログラムＰで保持する基本情報とから特典コンテンツのアドレスを生成し、生成したアドレスのコンテンツデータをウェブサーバ９から取得する。基本情報を取得しない限り、特典コンテンツのアドレスを取得することができないため、特典コンテンツを取得できるユーザを制限することができる。【選択図】          図１
2013131147.tif 000002
【特許請求の範囲】
【請求項１】
媒体に設けられた媒体情報を取得する取得部と表示部とを備えた情報提供装置に含まれるコンピュータにおいて実行される情報提供プログラムであって、
有料で提供される媒体に設けられた媒体情報を、前記取得部を通じて取得するステップと、
取得した媒体情報と前記媒体に対応して予め設定された基本情報とから前記媒体情報に対応付けられた前記媒体に関連した特典情報の格納先を表す特典格納先情報を生成するステップと、
前記特典格納先情報で特定される格納先から前記特典情報を取得し取得した特典情報を前記表示部に表示するステップと、を備えることを特徴とする情報提供プログラム。
【請求項２】
前記基本情報は前記特典情報を管理するサーバのアドレスであり、前記媒体情報は前記特典情報が格納された格納位置に応じたパラメータであって、
当該媒体情報を引数として、前記サーバのアドレスと前記媒体情報とから前記特典格納先情報を生成することを特徴とする請求項１記載の情報提供プログラム。
【請求項３】
前記特典格納先情報は、前記媒体に関連したＥＣサイトのコンテンツのアドレスまたは前記媒体に関連した情報コンテンツのアドレスを含むことを特徴とする請求項１または請求項２記載の情報提供プログラム。
【請求項４】
前記特典情報は、予め設定された有効期間内にのみアクセス可能な情報であることを特徴とする請求項１から請求項３のいずれか１項に記載の情報提供プログラム。
【請求項５】
請求項１から請求項４の何れか１項に記載の情報提供プログラムが格納されたことを特徴とする情報提供装置。
【請求項６】
請求項１から請求項４の何れか１項に記載の情報提供プログラムが格納された情報提供装置と、
媒体に関連した特典情報が格納されたサーバと、を備え、
当該サーバは、前記情報提供プログラムからの要求に応じて当該情報提供プログラムにより指定された特典格納先情報で特定される格納先から前記特典情報を取得し、当該特典情報を前記情報提供装置に送信することを特徴とする情報提供システム。
【発明の詳細な説明】
【技術分野】
【０００１】
本発明は、媒体に設けられた二次元コードなどの媒体情報を利用した情報提供プログラム、情報提供装置および情報提供システムに関する。
【背景技術】
【０００２】
従来、ネットワークに接続されたサーバで管理されている画像や音声を含むコンテンツを携帯端末で利用する場合において、二次元コードに含まれるＵＲＬ（Ｕｎｉｆｏｒｍ  Ｒｅｓｏｕｒｃｅ  Ｌｏｃａｔｏｒ）を読み取って、ＵＲＬ先のサーバにアクセスしてから必要とするコンテンツをユーザが選択して携帯端末にコンテンツをダウンロードし、携帯端末に既存のブラウザや再生アプリケーションプログラムなどによって、ダウンロードしたコンテンツを試聴している。
【０００３】
また、携帯端末から二次元コードを利用してコンテンツの提供を行う情報提供サービスが知られている。このサービスは広告主が広告に関する情報をサーバに登録し、この広告に対応する二次元コードを広告媒体に掲載し、この広告媒体を見たユーザが携帯端末のカメラで広告媒体に形成された二次元コードを読み取ることにより、携帯端末内で二次元コードが解読されて携帯端末の表示画面に広告情報が表示される。さらに広告情報に含まれるＵＲＬにアクセスすることにより、広告に関する詳しい情報を取り込んで携帯端末に表示している（例えば、特許文献１参照）。
【先行技術文献】
【特許文献】
【０００４】
【特許文献１】特開２００２−１１１９０９号公報
【発明の概要】
【発明が解決しようとする課題】
【０００５】
ところで、上述のように広告媒体に二次元コードを掲載し、この二次元コードを携帯端末などで読み取ることにより、広告情報を提供するようなシステムにおいては、広告媒体に掲載した二次元コードを読み取った人に対して情報提供を行うことになる。そのため、広告媒体に対して興味をもった多数の人に対して情報提供を行うことができ、十分な宣伝効果を得ることができる。
【０００６】
その一方で、例えば、雑誌などの媒体において、この雑誌を購入した人にのみ、購入特典として特典情報を提供しようとした場合、前述のように、二次元コードを読み取ることができればその携帯端末により特典情報の情報提供を受けることができるため、雑誌を購入した人の特典とはならない。
そこで、この発明は、上記従来の未解決の問題に着目してなされたものであり、情報提供を受けることのできるユーザを制限することの可能な情報提供プログラム、情報提供装置、および情報提供システムを提供することを目的としている。
【課題を解決するための手段】
【０００７】
上記の目的を達成するために、本発明の請求項１にかかる情報提供プログラムは、媒体に設けられた媒体情報を取得する取得部と表示部とを備えた情報提供装置に含まれるコンピュータにおいて実行される情報提供プログラムであって、有料で提供される媒体に設けられた媒体情報を前記取得部を通じて取得するステップと、取得した媒体情報と前記媒体に対応して予め設定された基本情報とから前記媒体情報に対応付けられた前記媒体に関連した特典情報の格納先を表す特典格納先情報を生成するステップと、前記特典格納先情報で特定される格納先から前記特典情報を取得し取得した特典情報を前記表示部に表示するステップと、を備えることを特徴としている。
【０００８】
請求項２にかかる情報提供プログラムは、請求項１記載の情報提供プログラムにおいて、前記基本情報は前記特典情報を管理するサーバのアドレスであり、前記媒体情報は前記特典情報が格納された格納位置に応じたパラメータであって、当該媒体情報を引数として、前記サーバのアドレスと前記媒体情報とから前記特典格納先情報を生成することを特徴としている。
【０００９】
請求項３にかかる情報提供プログラムは、請求項１または請求項２記載の情報提供プログラムにおいて、前記特典格納先情報は、前記媒体に関連したＥＣサイトのコンテンツのアドレスまたは前記媒体に関連した情報コンテンツのアドレスを含むことを特徴としている。
請求項４にかかる情報提供プログラムは、請求項１から請求項３のいずれか１項に記載の情報提供プログラムにおいて、前記特典情報は、予め設定された有効期間内にのみアクセス可能な情報であることを特徴としている。
【００１０】
また、請求項５にかかる情報提供装置は、請求項１から請求項４の何れか１項に記載の情報提供プログラムが格納されたことを特徴としている。
さらに、請求項６にかかる情報提供システムは、請求項１から請求項５の何れか１項に記載の情報提供プログラムが格納された情報提供装置と、媒体に関連した特典情報が格納されたサーバと、を備え、当該サーバは、前記情報提供プログラムからの要求に応じて当該情報提供プログラムにより指定された特典格納先情報で特定される格納先から前記特典情報を取得し、当該特典情報を前記情報提供装置に送信することを特徴としている。
【発明の効果】
【００１１】
本発明によれば、有料で提供される媒体に設けられた媒体情報を取得し、取得した媒体情報と前記媒体に対応して予め設定されている基本情報とから、前記媒体に関する特典情報の格納先を表す特典格納先情報を生成し、この特典格納先情報で特定される格納先から特典情報を取得する構成とした。そのため、媒体に対応する基本情報と媒体情報とをともに取得した情報提供装置のみが特典情報を取得することができ、すなわち特典情報を取得可能な情報提供装置を制限することができる。
【００１２】
また、特典情報を管理するサーバのアドレスを基本情報とし、特典情報が格納された格納位置に応じたパラメータを媒体情報とし、当該媒体情報を引数として媒体情報と基本情報とから特典格納先情報を生成するため、特典格納先情報を容易に作成することができる。
また、特典格納先情報として、媒体に関連したＥＣサイトのコンテンツのアドレスまたは媒体に関連した情報コンテンツのアドレスを含むため、媒体に関連したＥＣサイトのコンテンツや情報コンテンツを、特典情報として提供することができる。
【図面の簡単な説明】
【００１３】
【図１】本実施形態による情報提供システムの一例を示す構成図である。
【図２】事業者サーバの機能構成を示す図である。
【図３】ユーザ携帯端末において実行される専用プログラムダウンロード時の処理の処理手順の一例を示すフローチャートである。
【図４】専用プログラムの特典コンテンツ取得処理の処理手順の一例を示すフローチャートである。
【図５】専用プログラムの広告情報取得処理の処理手順の一例を示すフローチャートである。
【図６】事業者サーバにおいて実行される雑誌の種別情報受信時の処理手順の一例を示すフローチャートである。
【図７】コンテンツの送信要求を受けたサーバで実行される処理手順の一例を示すフローチャートである。
【図８】事業者サーバにおいて実行される広告情報送信時の処理手順の一例を示すフローチャートである。
【発明を実施するための形態】
【００１４】
以下、図面に基づいて本発明の実施形態にかかる情報提供システムの一例を説明する。
＜情報提供システムの構成＞
図１は、情報提供システム１の一例を示す構成図である。
図１に示すように、情報提供システム１は、雑誌３と、ユーザが有するユーザ携帯端末５と、雑誌３の出版元である出版社などの事業者が管理する事業者サーバ７と、ウェブサーバ９とを含んで構成される。
【００１５】
有料で提供される媒体としての雑誌３は、定期または不定期に発行される逐次刊行物である。この雑誌３には、雑誌コード３ａと号数コード３ｂとが印刷されている。
これら雑誌コード３ａと号数コード３ｂとは異なるページに印刷されていることが好ましい。例えば号数コード３ｂは表紙など比較的目につきやすい場所に印刷され、雑誌コード３ａは雑誌の中程のページなどに印刷されている。
【００１６】
雑誌コード３ａは、雑誌の種類（例えば、月刊ＸＸなど）毎に設けられる。雑誌コード３ａ（例えば、月刊ＸＸなど）には、事業者サーバ７にアクセスするためのアドレスおよび雑誌の種別情報が格納されている。
号数コード３ｂは、雑誌の発行号（例えば、１月号、２月号など）毎に設けられる。号数コード３ｂには、当該雑誌３の号数を特定するための、媒体情報としての号数情報（例えば、１月号、２月号など）と、雑誌３の種別情報と、当該雑誌３に対応する後述の一般コンテンツのアドレスとが格納されている。
【００１７】
これら雑誌コード３ａおよび号数コード３ｂは、例えばＱＲコード（登録商標）などの二次元コードからなる。
なお、これら雑誌コード３ａおよび号数コード３ｂは、二次元コードに限るものではなく、アドレス、雑誌３の種別を表す種別情報、雑誌３の号数を特定するための号数情報などを含めることの可能なコードであれば適用することができ、例えば、バーコードや英数字列などの暗号化コードなどであっても適用することができる。
【００１８】
ユーザ携帯端末５は、図１に示すように、コード読み取り部（取得部）５１と、ユーザ操作入力を行うための入力部５２と、情報表示を行うための表示部５３と、情報提供プログラムとしての専用アプリケーションプログラム（以下、専用プログラムともいう。）Ｐや各種情報を記憶するための記憶部５４と、事業者サーバ７やウェブサーバ９との通信処理を行う通信処理部５５と、これら各部を制御する制御部５６とを含んで構成される。なお、図１では、記憶部５４には専用プログラムＰが記載されているが、専用プログラムＰは、後述の手順にしたがって事業者サーバ７からダウンロードしたときに初めて記憶部５４に格納される。また、記憶部５４は、後述の手順にしたがって事業者サーバ７からダウンロードされた専用プログラムＰを複数格納することができるようになっている。
【００１９】
コード読み取り部５１は、例えば、雑誌３に印刷された雑誌コード３ａおよび号数コード３ｂや、その他のＱＲコード（登録商標）などの二次元コードを読み取るためのカメラなどを含んで構成され、カメラで読み取った二次元コードを解析し、二次元コードに格納されている各種情報を取得する。
そして、ユーザ携帯端末５は、一般的な二次元コード読み取りプログラムを実行し、コード読み取り部５１で取得した二次元コードに格納されている情報に応じて処理を行い、例えば、ＵＲＬなどのアドレスが設定されている場合には、ユーザのアクセス要求に応じて設定されたアドレスへアクセスしその結果得た情報を表示部５３に表示する。
【００２０】
また、ユーザ携帯端末５は、コード読み取り部５１により取得した雑誌３に印刷された雑誌コード３ａや号数コード３ｂに含まれる情報に基づき、ネットワークを介して事業者サーバ７との間で通信を行い、雑誌コード３ａに対応する専用プログラムＰを事業者サーバ７からダウンロードするとともに、専用プログラムＰを利用して、ウェブサーバ９から号数コード３ｂに対応する特典コンテンツのコンテンツデータを受信し表示する。すなわちユーザ携帯端末５は情報提供装置として機能する。
【００２１】
なお、このユーザ携帯端末５は、例えば、携帯電話機や、電話機能をもたない携帯端末装置などである。
事業者サーバ７は、図１に示すように、雑誌３の種別毎に設定される専用プログラムＰや、専用プログラムＰをダウンロードしたユーザ携帯端末５を管理するためのデータベース７１ａなどを記憶するための記憶部７１と、ユーザ携帯端末５との通信処理を行う通信処理部７２と、これら各部を制御する制御部７３と、を含んで構成される。なお、図１では記憶部７１には、専用プログラムＰは１つしか記載されていないが、実際には、雑誌３の種別ごとに設定された１または複数の専用プログラムＰが格納されている。
【００２２】
図２は、事業者サーバ７の機能構成を示したものである。図２に示すように、事業者サーバ７は、専用プログラムダウンロード処理部７ａとコンテンツ送信処理部７ｂと広告情報送信処理部７ｃとを備える。
専用プログラムダウンロード処理部７ａは、ユーザ携帯端末５から受信した雑誌３の種別情報に対応する専用プログラムＰをユーザ携帯端末５に送信する。また、雑誌３の種別情報とともに通知されるユーザ携帯端末５の端末ＩＤ毎に、当該端末ＩＤとダウンロードした専用プログラムＰに対応する雑誌の種別とを対応付けてアクセス履歴を表すデータベース７１ａとして記憶部７１に記憶する。
【００２３】
なお、前記端末ＩＤは、ユーザ携帯端末５からの受信データに一般に付加される識別情報であって、ユーザ携帯端末５を特定する識別情報である。この識別情報は、ユーザ携帯端末５自体に付与されている情報（例えば、機体番号）であってもよく、また、ユーザ携帯端末５にセットされているＩＣカード（例えばＵＩＭカード）に記録されている情報（例えば、電話番号）であってもよい。
コンテンツ送信処理部７ｂは、ユーザ携帯端末５からの要求に応じてユーザ携帯端末５から指定された後述の特典コンテンツおよび一般コンテンツのアドレスに対応するコンテンツデータをユーザ携帯端末５に送信する。
【００２４】
広告情報送信処理部７ｃは、例えば、雑誌３の種別毎などに、特典コンテンツの情報提供をうけたユーザ向けの広告情報を生成し、記憶部７１に格納されているデータベース７１ａから、生成した広告情報に関心をもつと予測されるユーザに対応する端末ＩＤを特定し、特定した端末ＩＤに対応するユーザ携帯端末５宛に、生成した広告情報を送信する。例えば、ある雑誌３の掲載記事に関連する広告情報を生成した場合には、データベース７１ａから、雑誌３に対応する専用プログラムＰをダウンロードした端末ＩＤを特定する。この特定した端末ＩＤに対応するユーザ携帯端末５のユーザは、生成した広告情報に興味を示すとみなし、特定した端末ＩＤのユーザ携帯端末５宛に、生成した広告情報を送信する。
【００２５】
ウェブサーバ９は、号数コード３ｂ毎に対応して設けられた号対応コンテンツのコンテンツデータ、また、その他、各種コンテンツのコンテンツデータを記憶、管理するコンテンツ管理部９ａと、ユーザ携帯端末５からの要求に応じてユーザ携帯端末５から指定された後述の特典コンテンツおよび一般コンテンツのアドレスに対応するコンテンツデータをユーザ携帯端末５に送信するコンテンツ送信処理部９ｂとを備える。
【００２６】
前記号対応コンテンツには、一般向けの一般コンテンツと、前記専用プログラムＰを有するユーザ携帯端末５にのみ情報提供する、各号ごとに設定される特典コンテンツとがある。
これら号対応コンテンツとは、各号に掲載された記事に関連する動画や写真が掲載されたサイト、または物販サイトなどのコンテンツである。また、特典コンテンツとは、これら動画や写真、物販サイトのうち、広く一般に公開するコンテンツではなく、各号の特集記事に関連する情報など、特に、各号の雑誌３の購入特典として提供するような特典情報として提供されるコンテンツである。
【００２７】
これら号対応コンテンツは、事業者サーバ７に格納されていてもよいし、ウェブサーバ９により管理されるウェブサイトに格納されていてもよい。また、図示しない他のサーバに格納されていてもよい。また、事業者サーバ７に、情報提供可能な特典コンテンツの一覧を表示するための目次コンテンツを設け、各特典コンテンツとリンクを張っておき、ユーザが目次コンテンツの一覧において所望の特典コンテンツを選択することによって、選択された特典コンテンツにアクセスする構成としてもよい。
【００２８】
号対応コンテンツのアドレスは、号対応コンテンツそれぞれの格納先、あるいは目次コンテンツが設定されている場合には目次コンテンツのアドレスを設定すればよい。
なお、特典コンテンツには予め有効期間が設定されており、特典コンテンツを管理する事業者サーバ７およびウェブサーバ９は、有効期間外には特典コンテンツを無効とし、この特典コンテンツのコンテンツデータをユーザ携帯端末５に送信しないようになっている。この有効期間は、雑誌３の各号の返品期限に基づいて定められていてもよい。
【００２９】
＜ユーザ携帯端末５での処理手順＞
次に、ユーザ携帯端末５での処理手順の一例を説明する。
まず、専用プログラムＰをダウンロードする場合のユーザ携帯端末５での処理手順の一例を、図３のフローチャートを伴って説明する。
専用プログラムＰのダウンロードは、一般的な二次元コード読み取りプログラムによって実行される。すなわちユーザは、専用プログラムＰをダウンロードする場合には、二次元コード読み取りプログラムの実行を指示する操作を行う。
【００３０】
この二次元コード読み取りプログラムの実行が指示されると、ユーザ携帯端末５では、二次元コード読み取りプログラムを実行する。
まず、雑誌コード解析処理を行う（ステップＳ１）。すなわち、コード読み取り部５１を起動させ、コード読み取り部５１での読み取った雑誌コード３ａの解析の結果得た、この雑誌コード３ａに含まれる事業者サーバ７にアクセスするためのアドレスおよび雑誌の種別情報を取得する。
【００３１】
なお、事業者サーバ７にアクセスするためのアドレスは、雑誌コード３ａに直接格納しておいてもよいし、ＤＮＳサーバにアクセスして取得する構成としてもよい。
次いで、ステップＳ２に移行し、雑誌コード３ａから取得したアドレスで特定される事業者サーバ７のアドレス宛にアクセスし、雑誌コード３ａから取得した種別情報を事業者サーバ７に通知する。
【００３２】
次いで、ステップＳ３に移行しダウンロード確認処理を行う。すなわち、事業者サーバ７から専用プログラムＰをダウンロードするか否かの問い合わせが行われたときにはユーザ宛の問い合わせ情報を生成しこれを表示部５３に表示する。入力部５２でのユーザの操作により、ダウンロードしない旨が入力されたときには、その旨を事業者サーバ７に通知し処理を終了する。
一方、ダウンロードを承諾する旨が入力されたときには、その旨を事業者サーバ７に通知し、事業者サーバ７から専用プログラムＰをダウンロードし、これを記憶部５４に格納する（ステップＳ４）。
【００３３】
以上により、専用プログラムＰをダウンロードする時の処理を終了する。
なお、この専用プログラムＰによって、後述の図４に示す特典コンテンツを取得するための特典コンテンツ取得処理と、図５に示す事業者サーバ７からの広告情報を受信するための広告情報受信処理とが実現される。
次に、特典コンテンツを取得する場合の、ユーザ携帯端末５での処理手順の一例を図４のフローチャートを伴って説明する。
特典コンテンツの取得は、専用プログラムＰの特典コンテンツ取得処理によって実行される。
【００３４】
すなわち、ユーザは、特典コンテンツを取得する場合には、特典コンテンツを取得したい、所望の雑誌３に対応する専用プログラムＰの特典コンテンツ取得処理の実行を指示する操作を行う。
そして、ユーザが、専用プログラムＰの実行を指示すると対応する専用プログラムＰが起動され、図４に示すように、まず、号数情報解析処理（ステップＳ１１）を行う。すなわち、コード読み取り部５１を起動させ、コード読み取り部５１での読み取った号数コード３ｂの解析の結果得られた、この号数コード３ｂに含まれる情報を取得する。
【００３５】
次いで、ステップＳ１２に移行し、読み取られた二次元コードが所定の号数コードであるかを判断する。具体的には、読みとられた二次元コードに、所定の号数情報および種別情報が含まれるか否かを判断する。所定の号数情報および種別情報が含まれない場合には特典コンテンツの情報提供は不可と判断し処理を終了する。つまり、専用プログラムＰの実行指示操作が行われたのち、たとえば雑誌コード３ａや、他の二次元コードなど、号数コード３ｂではない二次元コードの読み取り操作が行われたとき、また、専用プログラムＰに対応する雑誌３とは異なる種類の雑誌３に印刷された号数コード３ｂの読み取り操作が行われたときには処理を終了する。
【００３６】
一方、読み取られた二次元コード（号数コード３ｂ）に所定の号数情報および種別情報を含む場合には、ステップＳ１３に移行し、号数コード３ｂから取得した雑誌３の号数情報に対応する特典コンテンツのアドレスを既に取得しているかを判断する。
取得していない場合にはステップＳ１４に移行し、号数コード３ｂから取得した雑誌３の号数情報（媒体情報）と専用プログラムＰ内に予め設定されている基本アドレス（基本情報）とから、号数コード３ｂで特定される号数の雑誌３に対して設定された特典コンテンツにアクセスするためのアドレスを生成する。また、生成したアドレスを号数情報と対応付けて記憶部５４の所定の記憶領域に更新記憶する。
【００３７】
前記基本アドレスは、例えば、特典コンテンツを管理するサーバ、例えばウェブサーバ９を指定するアドレスである。そして、雑誌３の号数に応じて変化するパラメータである号数情報を引数とし、この号数情報とウェブサーバ９を指定するアドレスとから特典コンテンツのアドレスを生成する。
次いで、ステップＳ１５に移行し、生成した特典コンテンツのアドレスを指定し、ウェブサーバ９に特典コンテンツの送信要求を行い、その応答として特典コンテンツのコンテンツデータを取得する。そして、これをユーザ携帯端末５の表示部５３に表示する。
【００３８】
一方、既に、号数コード３ｂに対応する特典コンテンツのアドレスを生成済みの場合、すなわち、既に、この雑誌３について号数コード３ｂの読み取り操作を行っている場合には、ステップＳ１６に移行し、号数コード３ｂで特定される雑誌３の号数情報に対応する特典コンテンツのアドレスを記憶部５４から取得し、ステップＳ１５に移行して、ウェブサーバ９から特典コンテンツのコンテンツデータを取得する。そして処理を終了する。
【００３９】
次に、ユーザ携帯端末５において、事業者サーバ７から広告情報の送信通知を受信したときの処理手順の一例を、図５のフローチャートを伴って説明する。
ユーザ携帯端末５では、事業者サーバ７から広告情報の送信通知を受信すると、図５に示す専用プログラムＰの広告情報受信処理を実行する。
まず、広告情報受信確認処理を行う（ステップＳ２１）。すなわち、事業者サーバ７による広告情報の送信を承諾するか否かを表示部５３に表示してユーザに問い合わせ、ユーザからの問い合わせ結果を事業者サーバ７に送信する（ステップＳ２２）。
【００４０】
そして、ユーザが、事業者サーバ７による広告情報の送信を承諾したならば（ステップＳ２３）、ステップＳ２４に移行し、事業者サーバ７から送信された広告情報を表示部５３に表示する。一方、ユーザが事業者サーバ７による広告情報の送信を承諾していなければそのまま処理を終了する。
なお、ユーザ携帯端末５は、図示しないＣＰＵ（演算処理装置）などを含んで構成され、専用プログラム（情報提供プログラム）Ｐは、このＣＰＵにおいて実行される。この専用プログラムＰは、有料で提供される媒体に設けられた媒体情報をコード読み取り部５１（取得部）により取得するステップと、取得した媒体情報と前記媒体に対応して予め設定された基本情報とから前記媒体情報に対応付けられた前記媒体に関連した特典情報の格納先を表す特典格納先情報を生成するステップと、前記特典格納先情報で特定される格納先から前記特典情報を取得し取得した特典情報を前記表示部に表示するステップと、を備えている。
【００４１】
＜事業者サーバ７の処理手順＞
次に、事業者サーバ７の処理手順を説明する。
まず、事業者サーバ７の専用プログラムダウンロード処理部７ａの処理である、ユーザ携帯端末５から、雑誌３の種別情報を受信したときの処理手順の一例を、図６のフローチャートを伴って説明する。
事業者サーバ７は、ユーザ携帯端末５から雑誌３の種別情報を受信すると、受信した種別情報と端末ＩＤとを対応付けて記憶部７１のデータベース７１ａに登録する（ステップＳ３１）。
【００４２】
次いでステップＳ３２に移行し、ダウンロード確認処理を行う。すなわち、特典コンテンツを参照するための専用プログラムＰをダウンロードするかを問い合わせるメッセージを、雑誌３の種別情報の送信元の端末ＩＤで特定されるユーザ携帯端末５宛に送信する。
そして、この問い合わせメッセージに対する応答として、ユーザ携帯端末５からダウンロードを承諾する旨の通知が行われたときには（ステップＳ３３）、雑誌３の種別情報に対応する専用プログラムＰを記憶部７１から読み出し、これを端末ＩＤで特定されるユーザ携帯端末５宛に送信する（ステップＳ３４）。そして、処理を終了する。
【００４３】
一方、ユーザ携帯端末５からダウンロードを承諾する旨の通知が行われないときには（ステップＳ３３）、そのまま処理を終了する。
次に、事業者サーバ７のコンテンツ送信処理部７ｂにおいて実行される、事業者サーバ７に対してコンテンツの送信要求が行われたときの処理手順を図７のフローチャートを伴って説明する。なお、このコンテンツの送信要求が行われたときの処理は、ウェブサーバ９など、コンテンツが格納されたサーバにおいて、コンテンツの送信要求が行われたときにも同様の処理が行われる。例えばウェブサーバ９ではこの処理は、コンテンツ送信処理部９ｂにおいて実行される。
【００４４】
コンテンツの送信要求が行われたサーバでは、送信要求とともにアクセス先のコンテンツのアドレスを受信すると（ステップＳ４１）、ステップＳ４２に移行し、要求されたアドレスからコンテンツデータを取得し、取得したコンテンツデータを、送信要求を行った、端末ＩＤで特定されるユーザ携帯端末５に対して送信する。なお、送信したコンテンツデータに、例えば、ＵＲＬなど他のアドレスが含まれる場合には、ユーザのアドレスへのアクセス指示操作などに応じて、指示されたアドレスからコンテンツデータを取得し、これを送信する。
【００４５】
次に、事業者サーバ７の広告情報送信処理部７ｃの処理である、ユーザ携帯端末５に対して広告情報を送信するときの処理手順の一例を、図８のフローチャートを伴って説明する。
まず、事業者サーバ７は、ある雑誌３（例えば「月刊ＹＹ」）について、当該雑誌３（例えば「月刊ＹＹ」）に興味をもったユーザ向けの広告情報を生成する。なお、この広告情報は文字情報に限らず、静止画や動画であってもよい。
【００４６】
そして、この広告情報をユーザ携帯端末５に送信する場合には、事業者サーバ７では、まず記憶部７１に格納されているデータベース７１ａを参照し、ダウンロードした専用プログラムＰとして雑誌３（例えば「月刊ＹＹ」）に対応する雑誌の種別情報が登録されている端末ＩＤを検索し、これを送信先端末ＩＤ候補とする（ステップＳ５１）。
次いで、広告情報の送信確認処理を行う（ステップＳ５２）。すなわち、送信先端末ＩＤ候補の端末ＩＤで特定されるユーザ携帯端末５に対し、広告情報の送信通知を送信し、その応答を受信する。
【００４７】
そして、送信先端末ＩＤ候補のうち、事業者サーバ７による広告情報の送信を承諾した端末ＩＤで特定されるユーザ携帯端末５に対してのみ、広告情報を送信する（ステップＳ５３）。そして処理を終了する。
【００４８】
＜情報提供システムの動作＞
次に、情報提供システム１の動作を説明する。
ユーザは、ユーザ携帯端末５に、所望の雑誌３に対応する専用プログラムＰがダウンロードされていなければ、まず二次元コード読み取りプログラムを実行させる。これによりユーザ携帯端末５は、コード読み取り部５１を起動し、雑誌コード３ａから事業者サーバ７のアドレスを取得する。
例えば、雑誌３（例えば「月刊ＹＹ」）の雑誌コード３ａを読み取った場合には、雑誌３に対応する事業者サーバ７のアドレスを取得し、取得したアドレスに雑誌３（「月刊ＹＹ」）の種別情報を通知する（図３ステップＳ１、Ｓ２）。
【００４９】
これにより、雑誌３（「月刊ＹＹ」）に対応する事業者サーバ７に、雑誌３（「月刊ＹＹ」）の種別情報が通知され、事業者サーバ７は、雑誌３（「月刊ＹＹ」）の種別情報と、この種別情報に付加された端末ＩＤとを対応付けてデータベース７１ａに登録する（図６ステップＳ３１）。
続いて事業者サーバ７は、ユーザ携帯端末５に対して、専用プログラムＰをダウンロードするかどうかの確認を行い（図６ステップＳ３２）、ユーザ（ユーザＡ）がダウンロードを承諾すると（図３ステップＳ３）、ユーザ携帯端末５から通知された雑誌３の種別情報に対応する専用プログラムＰを記憶部７１から読み出し、これをユーザ（ユーザＡ）のユーザ携帯端末５に送信する（図６ステップＳ３３、Ｓ３４）。
【００５０】
ユーザ携帯端末５では、ダウンロードした雑誌３（「月刊ＹＹ」）の専用プログラムＰを記憶部５４に格納する（図３ステップＳ４）。
続いて、特典コンテンツの取得を希望するユーザ（ユーザＡ）は、号数コード３ｂの読み取り操作を行う。まず、今ダウンロードした所望の雑誌３（「月刊ＹＹ」）に対応する専用プログラムＰを実行させ、所望の雑誌３（「月刊ＹＹ」）の号数コード３ｂの読み取り操作を行うと、ユーザ携帯端末５では、雑誌３（「月刊ＹＹ」）に対応する専用プログラムＰの図４に示す特典コンテンツ取得処理が起動され、コード読み取り部５１によって号数コード３ｂが読み取られてその解析が行われる。そして、この解析の結果得られた雑誌３（「月刊ＹＹ」）の号数コード３ｂから取得した号数情報と、専用プログラムＰ内に予め設定されている基本アドレスとから特典コンテンツのアドレスを生成し、生成したアドレスを指定して送信要求を送信する（図４ステップＳ１１〜ステップＳ１５）。
【００５１】
例えば基本アドレスとしてウェブサーバ９を特定するアドレスが設定されている場合には、特典コンテンツの送信要求は、ウェブサーバ９に送信され、ウェブサーバ９では、コンテンツ（特典コンテンツ）の送信要求を受信すると（図７ステップＳ４１）、指定されたアドレスからコンテンツデータを取得し、これをユーザ携帯端末５に送信する（図７ステップＳ４２）。
【００５２】
これにより、ユーザ携帯端末５は、ウェブサーバ９から特典コンテンツのコンテンツデータを取得する（図４ステップＳ１５）。
以上から、ユーザ（ユーザＡ）は、雑誌３（「月刊ＹＹ」）の掲載内容に関連した特典コンテンツの情報提供を受けることができる。
続いて、この雑誌３（「月刊ＹＹ」）の次号である新刊号が発行され、この新刊号の特典コンテンツを取得する場合には、ユーザ（ユーザＡ）は、雑誌３（「月刊ＹＹ」）に対応する専用プログラムＰの実行を指示する。
【００５３】
そして、所望の雑誌３（「月刊ＹＹ」）の号数コード３ｂの読み取り操作を行うと、コード読み取り部５１によって号数コード３ｂの解析が行われ、雑誌３（「月刊ＹＹ」）の種別情報および号数情報が特定される。
ユーザ携帯端末５では、専用プログラムＰ内に設定されている基本アドレスと、新刊号の雑誌３（「月刊ＹＹ」）の号数コード３ｂから読み出した号数情報とから、新刊号の特典コンテンツを特定するアドレスを生成し、これを記憶部５４の所定の記憶領域に更新記憶するとともに、生成したアドレスを指定して例えばウェブサーバ９からコンテンツデータを取得する。これにより、ユーザ（ユーザＡ）は、雑誌３（「月刊ＹＹ」）の新刊号の掲載内容に関連した特典コンテンツの情報提供を受けることができる。
【００５４】
また、雑誌３（「月刊ＹＹ」）の新刊号が発行された後の時点で、ユーザ（ユーザＡ）が、雑誌３（「月刊ＹＹ」）の先月号に対して、号数コード３ｂの読み取り操作を行うと、記憶部５４には、新刊号の特典コンテンツのアドレスが記憶されているため、ユーザ携帯端末５では、号数コード３ｂの解析の結果得られた号数情報と基本情報とから特典コンテンツのアドレスが生成される。すなわち先月号の特典コンテンツに対応するアドレスが生成され、対応するサーバに対してコンテンツデータの送信要求が行われる。
【００５５】
ここで、この雑誌３（「月刊ＹＹ」）の特典コンテンツの有効期間を、次号が発行されるまで、すなわち発行日から１カ月とすると、この場合、雑誌３（「月刊ＹＹ」）の新刊号がすでに発行されており、先月号の特典コンテンツの有効期間はすぎている。そのため、雑誌３（「月刊ＹＹ」）の特典コンテンツを管理しているサーバ例えば、ウェブサーバ９は、先月号の特典コンテンツの読み出しが指定されても、この先月号の特典コンテンツのコンテンツデータの送信は行わない。
【００５６】
このため、常に、雑誌３（「月刊ＹＹ」）の最新号の特典コンテンツのみをユーザ（ユーザＡ）に対して情報提供することができ、すなわちユーザ（ユーザＡ）に対して期間限定で情報提供を行うことができる。
また、雑誌３（「月刊ＹＹ」）の専用プログラムＰの実行が指示された状態で、例えば、雑誌コード３ａや、雑誌３とは別の媒体に印刷されている二次元コードの読み取り操作が行われた場合には、二次元コードの解析処理を行った結果、この二次元コードには、雑誌３（「月刊ＹＹ」）に対応する雑誌種別や号数情報など所定の情報が格納されていない。そのため、読み取られた二次元コードは雑誌３（「月刊ＹＹ」）の号数コード３ｂではないと判断し、処理を終了する（図３ステップＳ１１、Ｓ１２）。
【００５７】
また、ユーザ（ユーザＡ）が雑誌３（「月刊ＹＹ」）に対応する専用プログラムＰをダウンロードせずに、雑誌３（「月刊ＹＹ」）の読み取り操作を行おうとした場合、ユーザ携帯端末５で実行可能なアプリケーションの中には、雑誌３（「月刊ＹＹ」）に対応する専用プログラムＰはない。したがって、ユーザ（ユーザＡ）は雑誌３（「月刊ＹＹ」）に対応する専用プログラムＰをダウンロードしていないことを認識することができる。
【００５８】
また、例えば、専用プログラムＰをダウンロードせずに、号数コード３ｂの読み取り操作が行われた場合、すなわち例えば二次元コードの読み取りプログラムや、雑誌３（「月刊ＹＹ」）に対応する専用プログラムＰではない、二次元コードを読み取り可能な処理プログラム、例えば、二次元コード読み取りプログラムを起動して、号数コード３ｂの解析を行った場合、号数コード３ｂには、前述のように、雑誌３（「月刊ＹＹ」）の種別情報、号数情報を含むとともに、一般コンテンツのアドレスが格納されている。そのため、二次元コード読み取りプログラムでは、号数コード３ｂの解析の結果得られた一般コンテンツのアドレスを指定し、例えばウェブサーバ９から一般コンテンツのコンテンツデータを取得する。これにより、雑誌３（「月刊ＹＹ」）に対応する一般コンテンツが情報提供される。
【００５９】
つまり、雑誌３（「月刊ＹＹ」）に対応する専用プログラムＰがダウンロードされていないユーザ携帯端末５では、雑誌３（「月刊ＹＹ」）の特定コンテンツの情報提供を受けることはできない。
同様に、ユーザ（ユーザＡ）とは異なるユーザ（例えば、ユーザＢ）が保有しているユーザ携帯端末５を用いて雑誌３（「月刊ＹＹ」）の新刊号に対して号数コード３ｂの読み取り操作を行おうとした場合、ユーザ（ユーザＢ）のユーザ携帯端末５において、雑誌３（「月刊ＹＹ」）に対応する専用プログラムＰを実行させなければ、例えば、二次元コード読み取りプログラムを実行させたとしても、一般コンテンツは獲得することはできるが、特典コンテンツを獲得することはできない。
【００６０】
したがって、専用プログラムＰをダウンロードしていないユーザ携帯端末５を用いて、特典コンテンツのコンテンツデータを取得することを抑制することができ、すなわち、特典コンテンツの提供を受けることのできるユーザを制限することができる。
このように、本実施形態では、一旦、雑誌３に印刷されている雑誌コード３ａの読み取りを行い専用プログラムＰのダウンロードを行った後、号数コード３ｂの読み取りを行ったユーザ携帯端末５に対してのみ特典コンテンツを情報提供することができる。つまり、特典コンテンツの情報提供先のユーザ携帯端末５を制限することができる。
【００６１】
例えば、号数コード３ｂを雑誌３の表紙或いは裏表紙など比較的目につきやすいところに印刷し、雑誌コード３ａを号数コード３ｂとは異なるページに印刷することによって、表紙に印刷された号数コード３ｂを読み込んだだけでは特典コンテンツを読み出すことはできずに、一般コンテンツしか読み出すことができないため効果的である。
また、例えば、一旦、雑誌コード３ａの読み取り操作を行った後、号数コード３ｂの読み取り操作を行うという特典コンテンツの情報提供を受けるための手順を、雑誌３の中程など、雑誌３を比較的十分読まなければわからないところに印刷しておけば、ユーザに対して雑誌３の記事を十分読むように仕向けることができ、効果的である。
【００６２】
また、特典コンテンツのアドレスは、号数コード３ｂから特定した号数情報と専用プログラムＰとの双方を備えて初めて生成することが可能である。したがって、一般的な二次元コード読み取りプログラムや、他のＱＲコード（登録商標）読み取りプログラムなどで、号数コード３ｂを解析したとしても、特典コンテンツのアドレスを取得することはできない。そのため、特典コンテンツの情報提供先をより確実に制限することができる。
【００６３】
また、専用プログラムＰをダウンロードするだけで、特典コンテンツを取得できるユーザを制限することができる。したがって、ユーザ携帯端末５の大幅な変更を伴うことなく容易に実現することができる。
一方、この状態から、事業者がある雑誌３（例えば「月刊ＹＹ」）の広告情報をユーザ携帯端末５に送信する場合には、事業者サーバ７では、記憶部７１に格納されているデータベース７１ａを参照し、この雑誌３（「月刊ＹＹ」）が登録されている端末ＩＤを、送信先端末ＩＤ候補として特定し、この送信先端末ＩＤ候補に対して事業者サーバ７による広告情報の送信確認処理を行う（図８ステップＳ５１、Ｓ５２）。
【００６４】
ユーザ携帯端末５では、広告情報の送信通知を受信すると、事業者サーバ７による広告情報の送信を承諾するか否かを事業者サーバ７に通知し（図５ステップＳ２１、Ｓ２２）、事業者サーバ７は、広告情報の送信が承諾された送信先端末ＩＤ候補に対してのみ広告情報を送信する（図８ステップＳ５３）。
広告情報を受信したユーザ携帯端末５では受信した広告情報を表示部５３に表示する（図５ステップＳ２３、Ｓ２４）。
【００６５】
ここで、データベース７１ａに登録されている端末ＩＤに対応するユーザは、それぞれ対応する雑誌３を購入したユーザであるとみなすことができ、すなわち、雑誌３の掲載内容に興味があるユーザであるとみなすことができる。したがって、データベース７１ａにある雑誌３（例えば「月刊ＹＹ」）が登録されている端末ＩＤ宛に、広告情報を送信することによって、生成した広告情報に対して興味をもつと予測されるユーザに対してのみ広告情報を送信することができ、広告情報を効率よくかつ効果的に送信することができる。
【００６６】
また、例えば、広告情報の内容が、ある雑誌３（例えば「月刊ＹＹ」）に関連する情報と、他の雑誌３（例えば「ＷＷ通信」）に関連する情報とを含む場合には、データベース７１ａに、ある雑誌３（例えば「月刊ＹＹ」）が登録されている端末ＩＤと、他の雑誌３（例えば「ＷＷ通信」）が登録されている端末ＩＤとに対して広告情報を送信することも可能である。このようにすることによって、送信しようとしている広告情報の内容に応じて、当該広告情報に興味があると予測されるユーザに対してのみ効率よく、広告情報を送信することができる。
【００６７】
＜効果＞
このように、一旦、雑誌３に印刷されている雑誌コード３ａの読み取りを行い専用プログラムＰのダウンロードを行った後、号数コード３ｂの読み取りを行ったユーザ携帯端末５に対してのみ特典コンテンツを情報提供することができる。
したがって、単に号数コード３ｂの読み取り操作を行っただけのユーザに対して特典コンテンツを情報提供することを抑制することができる。
特に、特典コンテンツのアドレスは、号数コード３ｂに格納されている号数情報と専用プログラムＰで保持する基本情報とから作成しているため、号数コード３ｂのみを解析したとしても、特典コンテンツのアドレスを取得することはできないため、効果的である。
【００６８】
また、雑誌などの場合、雑誌の販売促進などの目的で雑誌に特典をつけることがある。この特典の提供方法として、雑誌に印刷された二次元コードを雑誌の購入者が読み取ることにより特典情報を得ることができるようにする方法が考えられる。この方法の場合、二次元コードさえ読み取れれば雑誌を購入していない第三者であっても特典情報を得ることができるため、例えば、電車の網棚などに放置された雑誌３から二次元コードを読み込んだ場合であっても特典情報を得ることができすなわち販売促進につながりにくい可能性がある。しかしながら、上述のように、雑誌コード３ａと号数コード３ｂとを読み込むことにより初めて特典情報が得られる構成とすることによって特典情報を取得しにくくすることができ、効果的である。
【００６９】
よって、特に、雑誌など有料書籍の販売促進の目的で、二次元コードを用いて情報提供を行う場合に好適である。
また、特典コンテンツの有効期間を設定し、この有効期間内にのみ、特典コンテンツを提供するようにしている。つまり、期間限定で特典コンテンツを提供するため、ユーザに対してより購買意欲をおこさせることができ、効果的である。
【００７０】
また、ユーザ携帯端末５では、一旦ダウンロードして取得した専用プログラムＰを記憶部５４に記憶する構成としている。そのため、一度、専用プログラムＰをダウンロードしたユーザが、同一雑誌の最新号を購入する毎に専用プログラムＰをダウンロードする手間を省くことができる。
特に、月刊誌など定期刊行物の場合、一度購入したユーザは同種の雑誌を継続して購入する可能性が高い。したがって、一度専用プログラムＰをダウンロードした後は、再度専用プログラムＰのダウンロードを行う必要はなく、号数コード３ｂを読み取るだけで、容易に特典コンテンツを取得することができる。
【００７１】
また、事業者サーバ７では、専用プログラムＰをダウンロードしたユーザ携帯端末５を端末ＩＤで管理しており、また、端末ＩＤで特定されるユーザ携帯端末５宛に情報送信や広告情報の送信を行っている。つまり事業者サーバ７とユーザ携帯端末５との間での通信は、端末ＩＤを指定して行っているため、ユーザのメールアドレスなど個人情報を用いることなく実現することができる。
【００７２】
＜変形例１＞
上記実施の形態では、専用プログラムＰ内に含まれる基本アドレスと、号数コード３ｂに含まれる号数情報とから特典コンテンツのアドレスを生成するようにした場合について説明したが、これに限るものではない。
例えば、号数情報と、これに対応する特典コンテンツのアドレスとを対応付けて事業者サーバ７において記憶しておく。そして、号数コード３ｂの読み取り操作に伴いユーザ携帯端末５が号数コード３ｂから号数情報を取得したときに、ユーザ携帯端末５が号数情報を事業者サーバ７に通知し、事業者サーバ７が通知された号数情報に対応する特典コンテンツのアドレスを検索し、検索した特典コンテンツのアドレスをユーザ携帯端末５に返す。そして、ユーザ携帯端末５が取得した特典コンテンツのアドレスを指定してウェブサーバ９からコンテンツデータを取得する構成とする。このような構成とした場合であっても上記と同等の作用効果を得ることができる。
【００７３】
要は、号数コード３ｂに、特典コンテンツのアドレスそのものを記憶せずに、号数を特定するシリアル番号、或いは、識別番号などの引数情報を記憶しておき、専用プログラムＰにおいて、この引数情報からこれに対応する特典コンテンツのアドレスを取得する構成であればよい。
【００７４】
＜変形例２＞
また、上記実施の形態では、端末ＩＤごとに、専用プログラムＰをダウンロードした雑誌の種別情報を対応付けたデータベース７１ａを生成する場合について説明したが、これに限るものではない。
例えば、さらに、雑誌の号数情報も対応付け、広告情報の内容と、各号の特集内容などとから、広告情報の内容に関連する記事が形成された雑誌の号数を特定し、特定した雑誌の号数が、データベース７１ａに登録されている端末ＩＤを特定し、この特定した端末ＩＤ宛に広告情報を送信するように構成してもよい。
【００７５】
＜変形例３＞
また、上記実施の形態では、雑誌の種別情報ごとに、専用プログラムＰを設けた場合について説明したがこれに限るものではない。
種類の異なる雑誌どうしで専用プログラムＰを共通化し、例えば、女性誌、音楽雑誌、など、雑誌の分野の単位で、専用プログラムＰを設けることも可能であり、また、出版社単位で専用プログラムＰを設けることも可能である。さらには、雑誌の種類や出版社に関係なく共通化することも可能である。
この場合には、特典コンテンツの格納先のサーバを特定する基本アドレスと、号数コード３ｂから取得した雑誌３を特定する種別情報および号数情報とから、特典コンテンツのアドレスを生成し、雑誌３の種別ごとに、号数情報に対応した特典コンテンツを取得する構成とすればよい。
【００７６】
また、このように共通化した場合には、ユーザ携帯端末５において、例えば、雑誌コード３ａの解析を行ったときに、その種別情報をユーザ携帯端末５において記憶する構成とすればよい。
すなわち、例えば、専用プログラムＰでは号数コード３ｂの解析を行う際に、この号数コード３ｂから特定される雑誌の種別情報と、雑誌コード３ａの解析を行ったときに記憶しておいた種別情報とが一致するかを判断し、一致する場合には、既にこの雑誌について特典コンテンツの情報提供を受けたと判断する。
【００７７】
逆に、ユーザ携帯端末５で記憶している種別情報の中に、号数コード３ｂを解析した際に特定した種別情報と一致するものがないときには、過去にこの雑誌について特典コンテンツの情報提供をうけていないと判断し、専用プログラムＰを実行しない。
このような構成とすることによって、ユーザは、雑誌ごと、或いは出版社が異なるごとに専用プログラムＰをダウンロードする必要がない。また、共通の専用プログラムＰとしてはいるものの、各ユーザ携帯端末５において、新たな種別の雑誌について特典コンテンツを取得するためには、一旦、雑誌コード３ａの読み取り操作を行った後、号数コード３ｂの読み取りを行わなければ特典コンテンツを取得することができない。
したがって、雑誌の種別ごとに専用プログラムＰを設ける場合と同等の作用効果を得ることができる。また、この場合、雑誌ごとに専用プログラムＰを設ける必要がないため、ユーザ携帯端末５のメモリ容量の低減を図ることができる。
【００７８】
＜変形例４＞
また、上記実施形態においては、雑誌コード３ａと、号数コード３ｂとを別々に設けた場合について説明したが、これに限るものではない。
例えば、雑誌コードと号数コードとシリアル（ユニーク）コードとをまとめて１つの二次元コードとして生成することも可能である。
例えば、二次元コードをデコードしたときに得られるデータ列のうち、頭４桁を雑誌コード、次の４桁を号数コード、次の８桁をシリアル（ユニーク）コードなどとすればよい。
【００７９】
シリアル（ユニーク）コードとは、二次元コードをユニークにするためのコードである。つまり、この二次元コードが印刷された雑誌をユニークにするためのコードである。
このようなシリアル（ユニーク）コードを含む二次元コードを雑誌に設ける場合、雑誌に直接印刷することはコスト的に困難ではあるが、例えば、袋綴じのように、印刷ではなく二次元コードを別途添付する場合には容易に実現することができる。
【００８０】
このように二次元コードにシリアル（ユニーク）コードも含めた場合には、次のような効果を得ることができる。
すなわち、ユーザ携帯端末から特典コンテンツにアクセスする際には、ユーザ携帯端末からユーザ携帯端末の端末ＩＤとともに二次元コードに含まれるシリアル（ユニーク）コードも特典コンテンツ側に通知する構成とする。
【００８１】
特典コンテンツ側では、シリアルコードとアクセスしたユーザ携帯端末の端末ＩＤとを対応付けて登録する構成とする。これによって、登録情報を参照することにより、１つのシリアルコードに対して複数の端末ＩＤが対応付けられている場合には、二次元コードの使い回し、すなわち、一冊の雑誌を複数のユーザが回し読みしていると認識することができる。
【００８２】
したがって、このように二次元コードの使い回しが疑われる場合には、ユーザ携帯端末から特典コンテンツにアクセスが行われた際に、特典コンテンツ側で、通知されたシリアルコードが既に登録されているか、登録されている場合には、通知されたシリアルコードに対応付けられている端末ＩＤと通知された端末ＩＤとが一致するかを判断し、これらが一致しないとき、すなわち既に、他のユーザがこのシリアル（ユニーク）コードを利用して特典コンテンツにアクセスしている場合には、二次元コードの使い回しが行われているとみなして、このユーザ携帯端末から特典コンテンツへのアクセスを拒否する構成とする。
【００８３】
このようにすることによって、二次元コードの使い回しを防止することができる。
また、このように登録データから、二次元コードの使い回しを検出することができるため、登録データを解析することによって、真の雑誌購入者のうちのどの程度の雑誌購入者が各特典コンテンツに対してアクセスしたか、すなわち、雑誌購入者に対する特典コンテンツの利用者数を、精度よく検出することができる。したがって、登録データに基づき、雑誌購入者に対して、当該雑誌購入者が必要としている特典コンテンツを提供することができているかなどを解析することによって、雑誌の販促などに活用することができる。
【００８４】
なお、ここでは、特典コンテンツにアクセスしたユーザ携帯端末の端末ＩＤとシリアルコードとの対応を、特典コンテンツ側で登録する場合について説明したが、これに限るものではない。ユーザ携帯端末が特典コンテンツにアクセスする際に、事業者サーバ経由でアクセスする構成、或いは、事業者サーバに、アクセス先の特典コンテンツを識別する情報およびシリアルコードと端末ＩＤとを通知する構成とし、事業者サーバ側で、特典コンテンツと、この特典コンテンツにアクセスしたユーザ携帯端末の端末ＩＤとシリアルコードとを対応付けて管理する構成としてもよい。
【００８５】
＜変形例５＞
また、上記実施形態においては、事業者サーバ７側で、特典コンテンツの有効期限を管理する場合について説明したが、これに限るものはない。
例えば、ユーザ携帯端末５にダウンロードされた専用プログラムＰ側で、特典コンテンツの有効期限を管理する構成としてもよい。この場合には、例えば、号数コード３ｂに有効期限情報を含めておき、二次元コード読み取りプログラムにおいて、号数コード３ｂから雑誌の種別情報を取得する際に、種別情報とともに有効期限情報も取得し、この有効期限情報と号数コード３ｂの読み取り操作時の操作日時とから有効期間内であるか否かを判断し、有効期間外であるときには、特典コンテンツのコンテンツデータの取得を行わない構成とするなどにより実現することができる。
【００８６】
＜変形例６＞
また、上記実施の形態においては、雑誌３に雑誌コード３ａや号数コード３ｂを印刷し、雑誌３において特典コンテンツを提供する場合について説明したがこれに限るものではない。雑誌３は、月刊誌や隔月発行誌など、販売期間が限られている発行誌や、販売期間が限られている書籍であっても適用することができる。また、ＩＣカードなどといった有料のカード、或いは、雑誌や書籍、カードなどの購入に伴って提供される付属品に雑誌コード３ａや号数コード３ｂが印刷されている場合などであっても適用することができる。
【００８７】
＜変形例７＞
また、上記実施の形態においては、号数コード３ｂに号数情報を含め、号数コード３ｂを、コード読み取り部５１で読み取ることによって、ユーザ携帯端末５側で号数情報を取得する場合について説明したが、これに限るものではない。
例えば、ユーザ携帯端末５において、特典コンテンツのコンテンツデータの情報提供を要求する所定の操作がユーザにより行われたときに、ユーザ携帯端末５が号数情報の入力を促す画面表示を行い、これをうけてユーザが号数情報の入力操作を行うことにより、号数情報を取得する構成とすることも可能である。
【００８８】
＜変形例８＞
また、上記実施の形態においては、専用プログラムＰを事業者サーバ７から取得する場合について説明したが、これに限るものではない。
例えば、光ディスク、磁気ディスク、ＳＤ（Ｓｅｃｕｒｅ  Ｄｉｇｉｔａｌ）カード、メモリスティック（登録商標）、ＵＳＢメモリなどの携帯可能な記憶媒体に専用プログラムＰを格納し、これら記憶媒体を雑誌３の付属品として提供し、購入者は、この付属品に格納された専用プログラムＰを保有するユーザ携帯端末５にダウンロードすることで、専用プログラムＰを取得する構成としてもよい。
また、雑誌コード３ａにかえて、雑誌３に対応する専用プログラムＰの格納先を表すアドレスを印刷しておき、ユーザがユーザ携帯端末５でキー入力操作を行う構成としてもよい。
【符号の説明】
【００８９】
１  情報提供システム
３  雑誌
３ａ  雑誌コード
３ｂ  号数コード
５  ユーザ携帯端末
７  事業者サーバ
９  ウェブサーバ
５１  コード読み取り部
５４  記憶部
５６  制御部
７１  記憶部
７１ａ  データベース
Ｐ  専用アプリケーションプログラム（情報提供プログラム）
【図１】
2013131147.tif 000003
【図２】
2013131147.tif 000004
【図３】
2013131147.tif 000005
【図４】
2013131147.tif 000006
【図５】
2013131147.tif 000007
【図６】
2013131147.tif 000008
【図７】
2013131147.tif 000009
【図８】
2013131147.tif 000010